(57)【要約】  一実施形態に係る検出装置は、第１波長を有する第１光を発光可能な第１発光部と、前記第１発光部が発光した前記第１光の反射光を受光可能であり、受光した光に応じた受光信号を出力する受光部と、少なくとも一部に透光性を有し、前記第１発光部及び前記受光部を覆う測定面と、前記第１発光部が発光している間、前記受光信号に基づいて、生体情報を測定し、当該生体情報に基づいて、前記測定面に人体が接触したか判定する制御部と、を備える。
2020017083.tif 000002
【特許請求の範囲】
【請求項１】
第１波長を有する第１光を発光可能な第１発光部と、
前記第１発光部が発光した前記第１光の反射光を受光可能であり、受光した光に応じた受光信号を出力する受光部と、
少なくとも一部に透光性を有し、前記第１発光部及び前記受光部を覆う測定面と、
前記第１発光部が発光している間、前記受光信号に基づいて、生体情報を測定し、当該生体情報に基づいて、前記測定面に人体が接触したか判定する制御部と、
を備える検出装置。
【請求項２】
前記制御部は、前記生体情報が所定の範囲外である場合、前記測定面に前記人体が接触していないと判定する
請求項１に記載の検出装置。
【請求項３】
前記生体情報は、脈拍間隔、血圧、及び血管年齢の少なくとも１つを含む
請求項２に記載の検出装置。
【請求項４】
前記第１光は、不可視光である
請求項１から請求項３までのいずれか１項に記載の検出装置。
【請求項５】
前記制御部は、前記第１発光部が発光している間、前記受光部が受光した光の交流振幅を測定し、当該交流振幅が閾値未満である場合、前記測定面に前記人体が接触していないと判定する
請求項１から請求項４までのいずれか１項に記載の検出装置。
【請求項６】
前記第１波長とは異なる第２波長を有する第２光を発光可能な第２発光部を更に備え、
前記受光部は、前記第２発光部が発光した前記第２光の反射光を受光可能であり、
前記測定面は、前記第２発光部を覆う
請求項１から請求項５までのいずれか１項に記載の検出装置。
【請求項７】
前記制御部は、前記測定面に前記人体が接触したと判定した場合、前記第２発光部を発光させ、前記受光信号に基づいて、生体情報を測定する
請求項６に記載の検出装置。
【請求項８】
前記第２光は、可視光である
請求項６又は請求項７に記載の検出装置。
【請求項９】
第１波長を有する第１光を発光可能な第１発光部と、
前記第１発光部が発光した前記第１光の反射光を受光可能であり、受光した光に応じた受光信号を出力する受光部と、
透光性を有し、前記第１発光部及び前記受光部を覆う測定面と、
制御部と、
を備えた検出装置の前記制御部に、
前記第１発光部が発光している間、前記受光信号に基づいて、生体情報を測定し、当該生体情報に基づいて、前記測定面に人体が接触したか判定するステップを実行させるためのプログラム。
【請求項１０】
ネットワークを介して接続されたセンサ及び情報処理装置を備えた生体検出システムであって、
前記センサは、
第１波長を有する第１光を発光可能な第１発光部と、
前記第１発光部が発光した前記第１光の反射光を受光可能であり、受光した光に応じた受光信号を出力する受光部と、
透光性を有し、前記第１発光部及び前記受光部を覆う測定面と、
前記受光信号を前記情報処理装置に送信する通信部と、
を備え、
前記情報処理装置は、前記第１発光部が発光している間、前記センサから受信した前記受光信号に基づいて、前記測定面に人体が接触したか判定する
検出システム。
【発明の詳細な説明】
【技術分野】
【０００１】
本発明は、検出装置、プログラム、及び検出システムに関する。
【背景技術】
【０００２】
従来、反射光を利用して人体の接触を検出する装置が知られている。このような装置として、第１の波長の光を発光する第１の発光手段と、第１の波長とは異なる第２の波長の光を発光する第２の発光手段と、第１及び第２の波長の光の反射光に基づいて、接触した物体が人体であるか判断する判断手段と、を備えた切替装置が提案されている。この切替装置は、第１及び第２の波長の光の反射率に基づいて、接触した物体が人体であるか判断することができる。
【先行技術文献】
【特許文献】
【０００３】
【特許文献１】国際公開第２０１０／１１７００６号
【発明の概要】
【発明が解決しようとする課題】
【０００４】
しかしながら、上記従来の切替装置は、外光に第１及び第２の波長の光が含まれる場合、人体が接触していないにもかかわらず、人体が接触したものと誤検出するおそれがあった。【０００５】
本発明は、上記の課題に鑑みてなされたものであり、人体の接触を精度よく検出することを目的とする。
【課題を解決するための手段】
【０００６】
一実施形態に係る検出装置は、第１波長を有する第１光を発光可能な第１発光部と、前記第１発光部が発光した前記第１光の反射光を受光可能であり、受光した光に応じた受光信号を出力する受光部と、少なくとも一部に透光性を有し、前記第１発光部及び前記受光部を覆う測定面と、前記第１発光部が発光している間、前記受光信号に基づいて、生体情報を測定し、当該生体情報に基づいて、前記測定面に人体が接触したか判定する制御部と、を備える。
【発明の効果】
【０００７】
本発明の各実施形態によれば、人体の接触を精度よく検出することができる。
【図面の簡単な説明】
【０００８】
【図１】生体センサの一例を示す機能ブロック図。
【図２】生体センサの一例を示す斜視図。
【図３】図２の測定面の拡大図。
【図４】制御部による処理の概要を示すフローチャート。
【図５】制御部による測定対象者の検出処理の一例を示すフローチャート。
【図６】検出システムの一例を示す機能ブロック図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
一実施形態に係る検出装置について、図１〜図６を参照して説明する。本実施形態に係る検出装置は、測定面Ｒに人体が接触したことを検出する装置であり、人体の接触に応じた制御を行う任意の装置に適用できる。このような装置として、人体の接触に応じて、生体情報を測定する生体センサ（生体情報測定装置）や、人体の接触に応じて点灯又は消灯を行う照明器具のスイッチなどが挙げられる。以下では、検出装置が生体センサである場合を例に説明するが、上記の通り、検出装置が適用可能な装置はこれに限られない。
【００１１】
図１は、本実施形態に係る生体センサ１の一例を示す機能ブロック図である。図２は、生体センサ１の一例を示す斜視図である。図３は、図２の点線で囲まれた部分である測定面Ｒの拡大図である。
【００１２】
生体センサ１は、反射光に基づいて生体情報を測定する反射型の生体情報測定装置であり、人体の表面に向き合うように構成された平坦な測定面Ｒを有している。生体センサ１は、測定面Ｒに測定対象者（人体）が接触したことを検出すると、当該測定対象者の生体情報を測定し、測定した生体情報を無線通信により外部に送信する。生体センサ１は、例えば、図２に示すように、幅Ｗが４０ｍｍ、奥行きＤが３０ｍｍ、高さＨが１０ｍｍである。
【００１３】
生体センサ１は、図１〜図３に示すように、第１発光部１１と、第２発光部１２と、駆動回路１３と、受光部１４と、増幅回路１５と、制御部１６と、無線通信部１７と、基板１８と、ケース１９と、を備える。基板１８は、図３に示すように、第１発光部１１、第２発光部１２、駆動回路１３、受光部１４、増幅回路１５、制御部１６、及び無線通信部１７が実装された状態でケース１９に収容されている。なお、図３の破線は隠れ線を表している。また、生体センサ１は、電池動作を実現する図示しない電源回路を有している。また、生体センサ１は、３軸のジャイロセンサ、３軸の加速度センサ、肌温度センサ等を有していてもよい。
【００１４】
第１発光部１１は、第１波長λ１を有する第１光を発光可能な発光ダイオード素子又はレーザ素子である。第１光は、不可視光であり、例えば、近赤外光である。第１波長λ１は、８５０ｎｍ±５０ｎｍであるのが好ましく、例えば、８５０ｎｍであるが、これに限られない。図１〜図３の例では、生体センサ１は、２つの第１発光部１１を備えるが、１つ又は３つ以上の第１発光部１１を備えてもよい。
【００１５】
第２発光部１２は、第１波長λ１とは異なる第２波長λ２を有する第２光を発光可能な発光ダイオード素子又はレーザ素子である。第２光は、可視光であり、例えば、赤色光である。第２波長λ２は、７６０ｎｍ±５０ｎｍであるのが好ましく、例えば、７６０ｎｍであるが、これに限られない。図１〜図３の例では、生体センサ１は、２つの第２発光部１２を備えるが、１つ又は３つ以上の第２発光部１２を備えてもよい。
【００１６】
なお、第１波長λ１及び第２波長λ２を上記のように設計することにより、受光部１４の出力をより大きくしてＳ／Ｎ比を高くすることができる。また、第１発光部１１及び第２発光部１２は、互いに独立した素子であってもよいし、１つのパッケージに含まれていてもよい。また、第１光及び第２光のいずれも発光可能な１つの発光素子により、第１発光部１１及び第２発光部１２が構成されてもよい。
【００１７】
駆動回路１３は、第１発光部１１及び第２発光部１２をそれぞれ駆動する回路である。すなわち、駆動回路１３は、第１発光部１１及び第２発光部１２に電力を供給し、第１発光部１１及び第２発光部１２に第１光及び第２光をそれぞれ発光させる。
【００１８】
受光部１４は、受光した光に応じた信号（受光信号）を出力するフォトダイオード素子又はフォトトランジスタ素子である。受光部１４は、第１発光部１１及び第２発光部１２が発光した第１光及び第２光の反射光を受光可能なように配置される。受光部１４は、第１波長λ１の近傍の波長と、第２波長λ２の近傍の波長と、に感度を有するように構成される。図１〜図３の例では、生体センサ１は、１つの受光部１４を備えるが、２つ以上の受光部１４を備えてもよい。また、生体センサ１は、第１波長λ１の近傍の波長に感度を有する受光部１４と、第２波長λ２の近傍の波長に感度を有する受光部１４と、をそれぞれ備えてもよい。
【００１９】
増幅回路１５は、受光部１４が出力した受光信号を増幅する回路である。増幅回路１５は、例えば、オペアンプにより構成される。増幅回路１５が増幅した受光信号は、制御部１６に入力される。
【００２０】
本実施形態では、図２に示すように、ケース１９の表面に測定面Ｒが設けられ、測定面Ｒは、反射部２０を含むように構成される。反射部２０は、第１発光部１１及び第２発光部１２から発光された第１光及び第２光を、測定面Ｒに接触した物体との間で反射させるように構成された部分である。反射部２０と物体との間で繰り返し反射された第１光及び第２光の少なくとも一部は、受光部１４に受光される。反射部２０は、測定面Ｒの表面に設けられた、金（Ａｕ）などを含む金属膜（金メッキ）により構成される。
【００２１】
受光部１４は、図３に示すように、基板１８上で、第１発光部１１と第２発光部１２との間に挟まれて配置される。そして、反射部２０には、第１発光部１１及び第２発光部１２を露出させる窓部Ｗ１と、受光部１４を露出させる窓部Ｗ２と、が形成される。窓部Ｗ１及び窓部Ｗ２は、ポリエチレンテレフタレート（ＰＥＴ）などの透光性を有する材料で形成されている。すなわち、測定面Ｒは、第１発光部１１、第２発光部１２、及び受光部１４を覆うように配置され、第１発光部１１、第２発光部１２、及び受光部１４を露出させる透光性の窓部Ｗ１，Ｗ２と、窓部Ｗ１，Ｗ２の周囲に形成された反射部２０と、を有する。
【００２２】
測定面Ｒの近傍に物体が存在しない場合、第１発光部１１及び第２発光部１２が発光した第１光及び第２光は、窓部Ｗ１を通過し、外部に拡散する。受光部１４には、窓部Ｗ２を通過した外光が入射する。
【００２３】
一方、測定面Ｒに物体が接触している場合、第１発光部１１及び第２発光部１２が発光した第１光及び第２光の一部は、窓部Ｗ１を通過し、測定面Ｒに接触した物体で反射し、反射部２０で反射し、物体と反射部２０との間で繰り返し反射した後、窓部Ｗ２を通過して受光部１４に入射する。測定面Ｒと物体との間に隙間がある場合には、当該隙間及び窓部Ｗ２を通過した外光が受光部１４に入射する。
【００２４】
制御部１６は、駆動回路１３を制御することにより、第１発光部１１及び第２発光部１２の発光を制御すると共に、受光部１４が出力した受光信号に基づいて、測定面Ｒへの測定対象者の接触を検出し、接触した測定対象者の生体情報を測定する回路である。制御部１６は、例えば、ＣＰＵ、ＲＯＭ、及びＲＡＭを備えたマイクロコンピュータである。ＣＰＵがＲＯＭに記憶されたプログラムをＲＡＭ上で実行することにより、制御部１６の機能が実現される。ＣＰＵが実行するプログラムは、ＣＤ（Compact Disk）、ＤＶＤ、フラッシュメモリなどの、コンピュータ読み取り可能な任意の記録媒体に記録され得る。
【００２５】
具体的には、制御部１６は、駆動回路１３にタイミング信号を送信し、第１発光部１１及び第２発光部１２に第１光及び第２光をそれぞれ発光させる。また、制御部１６は、例えば、内蔵のアナログ−デジタル変換回路を用いて、増幅回路１５から出力された増幅後の受光信号（アナログ信号）をデジタル信号に変換し、変換後の受光信号に基づいて、測定対象者の検出や、測定対象者の生体情報の測定を行う。制御部１６の処理について後述する。
【００２６】
無線通信部１７は、生体センサ１と外部との無線通信を制御する回路である。無線通信部１７は、例えば、無線通信ＩＣ（Integrated Circuit）であるが、これに限られない。無線通信部１７は、制御部１６で測定した生体情報を、Ｂｌｕｅｔｏｏｔｈ（登録商標）等の無線通信規格を用いた通信により外部に送信する。生体センサ１は、生体情報ではなく、生体情報の測定に用いる信号情報を無線通信により外部に送信してもよい。この場合、外部にある機器は、信号情報に基づき生体情報を測定することができる。
【００２７】
基板１８は、第１発光部１１、第２発光部１２、駆動回路１３、受光部１４、増幅回路１５、制御部１６、及び無線通信部１７を保持するように構成される。基板１８は、例えば、ガラスエポキシ基板に銅箔で配線パターンが形成されたプリント基板であるが、これに限られない。第１発光部１１及び第２発光部１２は、図３に示すように、基板１８の表面で仮想線Ｌ１上に並ぶように配置される。また、受光部１４は、仮想線Ｌ１に垂直な仮想線Ｌ２上に配置される。図３の例では、２つの第１発光部１１は、仮想線Ｌ２を挟んで対称に配置されている。また、２つの第２発光部１２は、仮想線Ｌ２を挟んで対称に配置されている。第１発光部１１と仮想線Ｌ２との間隔Ｄ１及び第２発光部１２と仮想線Ｌ２との間隔Ｄ２は、例えば、４〜１１ｍｍの範囲内である。このように、第１発光部１１及び第２発光部１２を、仮想線Ｌ２（受光部１４）を挟んで対称に配置することにより、受光部１４に入射する第１光及び第２光を均一化できる。なお、間隔Ｄ１，Ｄ２は、任意に設計可能である。例えば、図３の例では、間隔Ｄ１は間隔Ｄ２より大きいが、間隔Ｄ１は間隔Ｄ２より小さくてもよい。また、第１発光部１１ごとに間隔Ｄ１が異なってもよい。同様に、第２発光部１２ごとに間隔Ｄ２が異なってもよい。
【００２８】
本実施形態では、第１発光部１１、第２発光部１２、及び受光部１４は、基板１８の下面（測定面Ｒ側の面）に実装されている。そして、駆動回路１３、増幅回路１５、制御部１６、及び無線通信部１７は、基板１８の上面に実装されている。但し、駆動回路１３、増幅回路１５、制御部１６、及び無線通信部１７のうちの少なくとも１つは、基板１８の下面に実装されていてもよい。電源回路についても同様である。
【００２９】
次に、制御部１６による処理について説明する。図４は、制御部１６による処理の概要を示すフローチャートである。制御部１６は、図４の処理を所定時間毎に実行する。
【００３０】
まず、制御部１６は、駆動回路１３にタイミング信号を送信し、第１発光部１１を点灯させる（ステップＳ１０１）。これにより、第１発光部１１が第１光を発光する。第１光は、不可視光であるため、第１発光部１１が点灯しても、第１光は外部からは見えない。
【００３１】
次に、制御部１６は、増幅回路１５から入力された受光信号の波形に基づいて、測定面Ｒへの測定対象者の接触を検出する（ステップＳ１０２）。測定対象者の検出方法については後述する。
【００３２】
制御部１６は、測定面Ｒへの測定対象者の接触を検出しなかった場合（ステップＳ１０２：ＮＯ）、処理を終了する。一方、制御部１６は、測定面Ｒへの測定対象者の接触を検出した場合（ステップＳ１０２：ＹＥＳ）、第２発光部１２を点灯する（ステップＳ１０２）。第２光は可視光であるものの、第２発光部１２を覆う測定面Ｒには測定対象者が接触しているため、第２光は外部からは見えない。
【００３３】
制御部１６は、第２発光部１２を点灯すると、増幅回路１５から入力された受光信号に基づいて、測定対象者の生体情報を測定する（ステップＳ１０４）。測定対象者が接触している場合、受光部１４には測定対象者と反射部２０との間で反射を繰り返した第２光が入射するため、受光信号には、測定対象者に照射された第２光に応じた信号が含まれる。したがって、制御部１６は、受光信号の周波数、振幅、及び波形などに基づいて、可視光を利用した既存の任意の測定方法により、測定対象者の生体情報を測定することができる。具体的には、制御部１６は、測定対象者の血中ヘモグロビン濃度、血中酸素濃度、脈拍数、脈拍間隔、血圧、及び肌温度などを測定することができる。
【００３４】
なお、制御部１６は、生体情報を測定する際に、第１発光部１１を消灯してもよいし、第１発光部１１を点灯したままにしてもよい。後者の場合、受光部１４には測定対象者と反射部２０との間で反射を繰り返した第１光及び第２光が入射するため、受光信号には、測定対象者に照射された第１光及び第２光に応じた信号が含まれる。したがって、制御部１６は、受光信号の周波数、振幅、及び波形などに基づいて、可視光及び不可視光を利用した既存の任意の測定方法により、測定対象者の生体情報を測定することができる。
【００３５】
その後、制御部１６は、第２発光部１２を消灯し（ステップＳ１０５）、処理を終了する。以上の処理により、制御部１６は、第１光による測定対象者の検出を所定時間毎に実行し、測定対象者を検出した場合には、第２光による生体情報の測定を実行することができる。
【００３６】
図５は、制御部１６による測定対象者の検出処理の一例を示すフローチャートである。図５の検出処理は、図４のステップＳ１０２の内部処理に相当する。
【００３７】
測定対象者の検出処理が開始されると、まず、制御部１６は、受光信号の交流振幅を測定する（ステップＳ２０１）。交流振幅は、受光信号に含まれる交流成分の振幅の最大値であってもよいし、平均値であってもよいし、実効値であってもよい。
【００３８】
測定面Ｒに測定対象者が接触していない場合、第１発光部１１が発光した第１光は、測定対象者に反射されないため、受光部１４にはほとんど入射しない。すなわち、受光部１４に入射する光のほとんどは外光となる。そして、一般に、外光は交流成分が小さい。このため、測定面Ｒに測定対象者が接触していない場合、受光信号の交流振幅は小さくなると考えられる。
【００３９】
これに対して、測定面Ｒに測定対象者が接触している場合、第１発光部１１が発光した第１光は、測定対象者に反射され、受光部１４に入射する。また、外光は、測定対象者に遮られ、受光部１４にはほとんど入射しない。そして、測定対象者に反射した第１光は、測定対象者の脈拍により交流成分が大きくなる。したがって、測定面Ｒに測定対象者が接触している場合、受光信号の交流振幅は大きくなると考えられる。
【００４０】
そこで、制御部１６は、受光信号の交流振幅が、予め設定された閾値Ａｔｈ未満である場合（ステップＳ２０２：ＮＯ）、測定対象者が測定面Ｒに接触していないと判定し（ステップＳ２１０）、検出処理を終了する。ステップＳ２１０の判定は、測定面Ｒへの測定対象者の接触を検出しないことに相当するため、検出処理の終了後、図４の処理も終了する。なお、閾値Ａｔｈは、実験により設定され、制御部１６のＲＯＭに保存される。
【００４１】
一方、制御部１６は、受光信号の交流振幅が、予め設定された閾値Ａｔｈ以上である場合（ステップＳ２０２：ＹＥＳ）、測定面Ｒに測定対象者が接触している可能性があると判定する。
【００４２】
次に、制御部１６は、生体情報に基づく第１の判定処理を実行する。具体的には、制御部１６は、受光信号が測定対象者の脈波に応じた信号であると仮定して、受光信号に基づいて、脈拍間隔を測定する（ステップＳ２０３）。脈拍間隔は、脈波のピーク（Ｒ波）間隔である。人間の脈拍間隔は、一般に、３００ｍｓ以上２１５０ｍｓ以下である。制御部１６は、受光信号を利用した既存の任意の方法により脈拍間隔を測定できる。
【００４３】
測定面Ｒに測定対象者が接触していない場合、第１発光部１１が発光した第１光は、測定対象者に反射されないため、受光部１４にはほとんど入射しない。すなわち、受光部１４に入射する光のほとんどは外光となる。したがって、測定面Ｒに測定対象者が接触していない場合、受光信号に基づいて脈拍間隔を測定しても、当該脈拍間隔は人間の脈拍間隔とはかけ離れた値になる、又は測定できないと考えられる。
【００４４】
これに対して、測定面Ｒに測定対象者が接触している場合、第１発光部１１が発光した第１光は、測定対象者に反射され、受光部１４に入射する。また、外光は、測定対象者に遮られ、受光部１４にはほとんど入射しない。そして、測定対象者に反射した第１光の波形は、測定対象者の脈波に応じた波形となる。したがって、測定面Ｒに測定対象者が接触している場合、受光信号に基づいて脈拍間隔を測定すると、当該脈拍間隔は人間の脈拍間隔と一致した値になると考えられる。
【００４５】
そこで、制御部１６は、受光信号に基づいて測定した脈拍間隔が所定の第１範囲外である場合（ステップＳ２０４：ＮＯ）、測定対象者が測定面Ｒに接触していないと判定し（ステップＳ２１０）、検出処理を終了する。脈拍間隔が第１範囲外である場合には、脈拍間隔が測定できない場合も含まれる。ステップＳ２１０の判定は、測定面Ｒへの測定対象者の接触を検出しないことに相当するため、検出処理の終了後、図４の処理も終了する。第１範囲は、例えば、３００ｍｓ以上２１５０ｍｓ以下の範囲であるが、これに限られない。第１範囲は、制御部１６のＲＯＭに保存される。
【００４６】
一方、制御部１６は、受光信号に基づいて測定された脈拍間隔が、予め設定された第１範囲内である場合（ステップＳ２０４：ＹＥＳ）、測定面Ｒに測定対象者が接触している可能性があると判定する。
【００４７】
次に、制御部１６は、生体情報に基づく第２の判定処理を実行する。具体的には、制御部１６は、受光信号が測定対象者の脈波に応じた信号であると仮定して、受光信号に基づいて、血圧を測定する（ステップＳ２０５）。制御部１６は、受光信号を利用した既存の任意の方法により血圧を測定できる。人間の血圧は、一般に、４０ｍｍＨｇ以上２５５ｍｍＨｇ以下である。
【００４８】
測定面Ｒに測定対象者が接触していない場合、第１発光部１１が発光した第１光は、測定対象者に反射されないため、受光部１４にはほとんど入射しない。すなわち、受光部１４に入射する光のほとんどは外光となる。したがって、測定面Ｒに測定対象者が接触していない場合、受光信号に基づいて血圧を測定しても、当該血圧は人間の血圧とはかけ離れた値になる、又は外光は人固有の脈波と波形が異なるため血圧を測定できないと考えられる。
【００４９】
これに対して、測定面Ｒに測定対象者が接触している場合、第１発光部１１が発光した第１光は、測定対象者に反射され、受光部１４に入射する。また、外光は、測定対象者に遮られ、受光部１４にはほとんど入射しない。そして、測定対象者に反射した第１光の波形は、測定対象者の脈波に応じた波形となる。したがって、測定面Ｒに測定対象者が接触している場合、受光信号に基づいて血圧を測定すると、当該血圧は人間の血圧と一致した値になると考えられる。
【００５０】
そこで、制御部１６は、受光信号に基づいて測定した血圧が所定の第２範囲外である場合（ステップＳ２０６：ＮＯ）、測定対象者が測定面Ｒに接触していないと判定し（ステップＳ２１０）、検出処理を終了する。血圧が第２範囲外である場合には、血圧が測定できない場合も含まれる。ステップＳ２１０の判定は、測定面Ｒへの測定対象者の接触を検出しないことに相当するため、検出処理の終了後、図４の処理も終了する。第１範囲は、例えば、４０ｍｍＨｇ以上２５５ｍｍＨｇ以下の範囲であるが、これに限られない。第２範囲は、制御部１６のＲＯＭに保存される。
【００５１】
一方、制御部１６は、受光信号に基づいて測定された血圧が、予め設定された第２範囲内である場合（ステップＳ２０６：ＹＥＳ）、測定面Ｒに測定対象者が接触している可能性があると判定する。
【００５２】
次に、制御部１６は、生体情報に基づく第３の判定処理を実行する。具体的には、制御部１６は、受光信号が測定対象者の脈波に応じた信号であると仮定して、受光信号に基づいて、血管年齢を測定する（ステップＳ２０７）。制御部１６は、受光信号を利用した既存の任意の方法により血管年齢を測定できる。人間の血管年齢は、一般に、０歳以上１００歳未満である。
【００５３】
測定面Ｒに測定対象者が接触していない場合、第１発光部１１が発光した第１光は、測定対象者に反射されないため、受光部１４にはほとんど入射しない。すなわち、受光部１４に入射する光のほとんどは外光となる。したがって、測定面Ｒに測定対象者が接触していない場合、受光信号に基づいて血管年齢を測定しても、当該血管年齢は人間の血管年齢とはかけ離れた値になる、又は外光は人固有の脈波と波形が異なるため血管年齢を測定できないと考えられる。
【００５４】
これに対して、測定面Ｒに測定対象者が接触している場合、第１発光部１１が発光した第１光は、測定対象者に反射され、受光部１４に入射する。また、外光は、測定対象者に遮られ、受光部１４にはほとんど入射しない。そして、測定対象者に反射した第１光の波形は、測定対象者の脈波に応じた波形となる。したがって、測定面Ｒに測定対象者が接触している場合、受光信号に基づいて血管年齢を測定すると、当該血管年齢は人間の血管年齢と一致した値になると考えられる。
【００５５】
そこで、制御部１６は、受光信号に基づいて測定した血管年齢が所定の第３範囲外である場合（ステップＳ２０８：ＮＯ）、測定対象者が測定面Ｒに接触していないと判定し（ステップＳ２１０）、検出処理を終了する。血管年齢が所定の第３範囲外である場合には、血管年齢が測定できない場合も含まれる。ステップＳ２１０の判定は、測定面Ｒへの測定対象者の接触を検出しないことに相当するため、検出処理の終了後、図４の処理も終了する。第３範囲は、例えば、０歳以上１００歳以下の範囲であるが、これに限られない。第３範囲は、制御部１６のＲＯＭに保存される。
【００５６】
一方、制御部１６は、受光信号に基づいて測定された血管年齢が、予め設定された第３範囲内である場合（ステップＳ２０８：ＹＥＳ）、測定面Ｒに測定対象者が接触していると判定する（ステップＳ２０９）。ステップＳ２０９の判定は、測定面Ｒへの測定対象者の接触を検出したことに相当するため、検出処理の終了後、制御部１６は、図４のステップＳ１０３の処理を実行する。
【００５７】
以上の処理により、制御部１６は、第１光による測定対象者の検出を実行することができる。なお、図５の例では、制御部１６は、交流振幅による判定処理、第１の判定処理、第２の判定処理、及び第３の判定処理という順番で判定処理を実行したが、判定処理を実行する順番は任意に設計できる。また、制御部１６は、第１の判定処理、第２の判定処理、及び第３の判定処理のうち、いずれか１つだけを実行してもよいし、いずれか２つだけを実行してもよい。この場合、制御部１６は、実行する判定処理のいずれか１つにおいて、生体情報が所定の範囲外である場合、人体が接触していないと判定し、実行する判定処理の全てにおいて、生体情報が所定の範囲内である場合、人体が接触していると判定すればよい。また、制御部１６は、交流振幅による判定処理を省略することも可能である。いずれの場合も、制御部１６は、受光信号に基づいて測定した生体情報に基づいて、測定対象者を検出することができる。
【００５８】
以上説明した通り、本実施形態によれば、制御部１６は、第１発光部１１が第１光を発光している間、受光信号に基づいて生体情報を測定し、当該生体情報に基づいて、測定面Ｒに人体が接触しているか判定する。脈拍間隔、血圧、及び血管年齢などの生体情報は、人間固有の情報であるため、制御部１６は、生体情報を利用することにより、測定面Ｒへの人体の接触を精度よく検出することができる。具体的には、人体以外の物体が測定面Ｒに接触した場合や、外光の影響により、人体が測定面Ｒに接触していないにもかかわらず、人体が測定面Ｒに接触していると判定される誤判定を抑制することができる。
【００５９】
また、人体の接触を精度よく検出することにより、人体が確実に測定面Ｒに接触しているときに、すなわち、外光が受光部１４にほぼ入射しないときに、第２光による生体情報の測定が行われるため、生体情報を精度よく測定することができる。
【００６０】
また、本実施形態によれば、人体の検出処理は不可視光である第１光により行われ、当該検出処理の間、可視光である第２光は発光されない。したがって、第２光により生体センサ１の周囲の人間に与える眩しさを抑制することができる。また、人体の検出処理に要する電力を抑制することができる。
【００６１】
なお、本実施形態において、人体の検出方法は、上記の例に限られない。例えば、制御部１６は、脈波の波形を機械学習し、機械学習により得られた波形モデルに基づいて、受光信号の波形が脈波の波形であるか判定することにより、人体を検出してもよい。機械学習方法として、サポートベクターマシンなどの既存の任意の方法を利用できる。
【００６２】
また、以上では、生体センサ１の制御部１６が人体の検出や生体情報の測定を行ったが、人体の検出や生体情報の測定は、生体センサ１の外部にある機器で行ってもよい。
【００６３】
ここで、図６は、本実施形態に係る検出システム１００の一例を示す機能ブロック図である。図６の検出システム１００は、無線通信可能な生体センサ１及び情報処理装置２を備える。生体センサ１の構成は上述の通りである。ただし、図６の例では、制御部１６は、人体の検出や生体情報の測定を行わない。また、無線通信部１７は、受光信号を無線で情報処理装置２に送信する。
【００６４】
情報処理装置２は、生体センサ１と通信可能な任意のコンピュータである。情報処理装置２は、例えば、マイクロコンピュータ、サーバ、ＰＣ（Personal Computer）、スマートフォン、又はタブレット端末であるが、これに限られない。図６の例では、情報処理装置２は、生体センサ１と無線により通信可能であるが、有線により通信可能であってもよい。また、生体センサ１及び情報処理装置２は、インターネットなどのネットワークを介して通信可能に接続されていてもよい。情報処理装置２は、生体センサ１から受信した受光信号に基づいて、人体の検出や生体情報の測定を実行する。人体の検出方法及び生体情報の測定方法については、上述の通りである。
【００６５】
情報処理装置２が受光信号に基づいて生体情報を測定し、当該生体情報に基づいて、人体の接触を検出することにより、上述の効果が得られる。また、図６の構成により、生体センサ１の計算量を抑制することができる。
【００６６】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【００６７】
また、本国際出願は、２０１８年７月１７日に出願した日本国特許出願第２０１８−１３４３９９号に基づく優先権を主張するものであり、当該出願の全内容を本国際出願に援用する。
【符号の説明】
【００６８】
１：生体センサ
２：情報処理装置
１１：第１発光部
１２：第２発光部
１３：駆動回路
１４：受光部
１５：増幅回路
１６：制御部
１７：無線通信部
１８：基板
１９：ケース
２０：反射部
１００：検出システム
Ｒ：測定面
Ｗ１，Ｗ２：窓部
Ｌ１，Ｌ２：仮想線
Ｄ１，Ｄ２：間隔
【図１】
2020017083.tif 000003
【図２】
2020017083.tif 000004
【図３】
2020017083.tif 000005
【図４】
2020017083.tif 000006
【図５】
2020017083.tif 000007
【図６】
2020017083.tif 000008
【国際調査報告】
2020017083.tif 000009
2020017083.tif 000010
2020017083.tif 000011